(57)【要約】【課題】  スペーサに起因する表示色のずれやばらつきを低減することのできる電気光学装置の構成を提供する。【解決手段】  本発明の電気光学装置１００は、一対の基板１２０，１４０の間に電気光学材料１６７が配置され、異なる色相を呈する複数種類の画素Ｒ，Ｇ，Ｂが所定の色配列パターンにて繰り返し配列されてなり、一対の基板のうち少なくとも一方の基板１２０上に、他方の基板１４０に向けて突出するスペーサ１２５を備えた電気光学装置において、所定の色配列パターンにおける所定の配列方向Ｘには複数種類の画素Ｒ，Ｇ，Ｂのうち少なくとも２種類以上の画素が所定の色配列パターン周期で繰り返し配列され、スペーサ１２５は、所定の配列方向Ｘに沿って色配列パターン周期と異なる形成周期で配列されていることを特徴とする。【選択図】          図６
2005258176.tif 000002
【特許請求の範囲】
【請求項１】
一対の基板の間に電気光学材料と、前記一対の基板の間隔を規定するスペーサが配置され、前記一対の基板のうち少なくとも一方の前記基板上に、異なる色相を呈する複数種類の画素が所定の色配列パターンにて繰り返し配列されてなる電気光学装置において、
前記所定の色配列パターンにおける所定の配列方向には、前記複数種類の画素のうち少なくとも２種類以上の前記画素が所定の色配列パターン周期で繰り返し配列され、
前記スペーサは、前記所定の配列方向に沿って前記色配列パターン周期及び１画素周期のいずれとも異なる形成周期で配列されていることを特徴とする電気光学装置。
【請求項２】
一対の基板の間に電気光学材料と、前記一対の基板の間隔を規定するスペーサが配置され、前記一対の基板のうち少なくとも一方の前記基板上に、異なる色相を呈する複数種類の画素が所定の色配列パターンにて繰り返し配列されてなる電気光学装置において、
前記所定の色配列パターンにおける所定の配列方向には、前記複数種類の画素のうち少なくとも２種類以上の前記画素が所定の色配列パターン周期で繰り返し配列され、
前記所定の色配列パターンにおける所定の配列方向には、複数の前記スペーサからなり、少なくとも１つの前記スペーサ同士の間隔が、少なくとも１画素の間隔を開けて配置されてなるスペーサパターンが繰り返し配列され、
前記スペーサパターンは、前記所定の配列方向に沿って前記色配列パターン周期と異なる形成周期で配列されていることを特徴とする電気光学装置。
【請求項３】
前記形成周期は、前記所定の配列方向に沿った画素周期を最小単位として設定されていることを特徴とする請求項１又は２に記載の電気光学装置。
【請求項４】
前記形成周期はＮ画素周期（Ｎは前記色配列パターン周期に相当する数以外の任意の数）であり、
前記色配列パターンは、前記所定の配列方向と直交する方向に見て、前記所定の配列方向に伸びる画素ラインに関してＭライン周期（Ｍは任意の自然数）のパターン配列を有し、
前記スペーサの前記所定の配列方向と直交する方向の形成周期はＮ×Ｍ画素周期であることを特徴とする請求項１又は２に記載の電気光学装置。
【請求項５】
前記所定の色配列パターンは、前記所定の配列方向に沿って前記複数種類の画素が順次に繰り返し配列されてなるストライプ配列パターンであり、
前記スペーサの形成周期はＮ画素周期（Ｎは前記色配列パターン周期に相当する数以外の任意の数）であり、
前記スペーサの前記所定の配列方向と直交する方向の形成周期はＮ画素周期であることを特徴とする請求項１又は２に記載の電気光学装置。
【請求項６】
前記所定の色配列パターンは、前記所定の配列方向に沿って前記複数種類の画素が順次に繰り返し配列されてなるデルタ配列パターンであり、
前記スペーサの前記形成周期はＮ画素周期（Ｎは前記色配列パターン周期に相当する数以外の任意の数）であり、
前記スペーサの前記所定の配列方向と直交する方向の形成周期は２×Ｎ画素周期であることを特徴とする請求項１又は２に記載の電気光学装置。
【請求項７】
前記所定の色配列パターンは、前記所定の配列方向に沿ってＬ種類（Ｌは任意の自然数）の前記画素が順次に繰り返し配列され、前記所定の配列方向と直交する方向に沿って前記Ｌ種類の画素が順次に繰り返し配列されてなるダイアゴナル配列パターンであり、
前記スペーサの前記形成周期はＮ画素周期（Ｎは前記色配列パターン周期に相当する数以外の任意の数）であり、
前記スペーサの前記所定の配列方向と直交する方向の形成周期はＬ×Ｎ画素周期であることを特徴とする請求項１又は２に記載の電気光学装置。
【請求項８】
前記所定の色配列パターンは、前記所定の配列方向に沿って前記複数種類の画素が順次に繰り返し配列されてなるペンタイル配列パターンであり、
前記スペーサの前記形成周期はＮ画素周期（Ｎは前記色配列パターン周期に相当する数以外の任意の数）であり、
前記スペーサの前記所定の配列方向と交差する方向の形成周期は２×Ｎ画素周期であることを特徴とする請求項１又は２に記載の電気光学装置。
【請求項９】
前記所定の色配列パターンは、前記所定の配列方向に沿って前記複数種類の画素が順次に繰り返し配列されてなるペンタゴナル配列パターンであり、
前記スペーサの前記形成周期はＮ画素周期（Ｎは前記色配列パターン周期に相当する数以外の任意の数）であり、
前記スペーサの前記所定の配列方向と交差する方向の形成周期は２×Ｎ画素周期であることを特徴とする請求項１又は２に記載の電気光学装置。
【請求項１０】
前記スペーサは前記画素間の遮光領域に少なくとも一部が重なる位置に形成されていることを特徴とする請求項１乃至９のいずれか一項に記載の電気光学装置。
【請求項１１】
前記画素毎にスイッチング機能を有する能動素子を有し、前記スペーサは前記能動素子の形成領域に少なくとも一部が重なる位置に配置されていることを特徴とする請求項１乃至１０のいずれか一項に記載の電気光学装置。
【請求項１２】
請求項１乃至１１のいずれか一項に記載の電気光学装置と、該電気光学装置を制御する制御手段とを有することを特徴とする電子機器。
【発明の詳細な説明】
【技術分野】
【０００１】
本発明は、電気光学装置及び電子機器に係り、特に、フォトリソグラフィ処理等といったパターン形成法を用いて形成される複数のスペーサを有する電気光学装置に適用する場合に好適な構造に関する。
【背景技術】
【０００２】
電気光学装置の１種類である従来の液晶表示装置は、一対の基板をシール材で貼り合わせ、これらの一対の基板及びシール材の内側に液晶を封入してなるパネル構造を有する。このパネル構造においては、一対の基板の内面上にそれぞれ複数の電極が配列形成され、各電極が液晶を介して対向配置されることにより個々の画素が構成され、これらの画素は電極の配列構成に対応して配列される。
【０００３】
ここで、液晶表示装置でカラー画像を形成する場合には、上記の画素毎に所定の色相を呈する着色層が配置されたカラーフィルタが用いられる。このカラーフィルタは、異なる色相を呈する複数種類の着色層を所定の色配列パターンになるように配列させたものであり、例えば赤（Ｒ）、緑（Ｇ）及び青（Ｂ）の３色の着色層を所定の順序で繰り返し配列させた色配列パターンが構成される。このような色配列パターンとしては、ストライプ配列、デルタ配列、ダイアゴナル（斜めモザイク）配列などの周知のパターンが表示画像の種類に応じて適宜に選定される。
【０００４】
一方、液晶表示装置において一対の基板の間隔を一定に保持するために、一般的には、一対の基板間におけるシール材の内側に絶縁材料で構成されたスペーサをランダムに分散配置させることにより基板間隔を規制するようにしているが、このスペーサは画素内にも配置されることがあるため、スペーサが液晶分子の配向を乱すなどの理由により表示品位が低下する場合がある。そこで、これを防止するために、少なくとも一方の基板の内面上の画素間領域に絶縁材料からなる多数の柱状スペーサを形成し、これらのスペーサを他方の基板に当接させることによって基板間隔を規制するようにしたものが考案されている（例えば、特許文献１及び特許文献２参照）。
【特許文献１】特開２００１−２９６５２９
【特許文献２】特開２００１−２９６５３０
【発明の開示】
【発明が解決しようとする課題】
【０００５】
ところで、上記従来のスペーサを備えた液晶表示装置では、スペーサを画素間領域に形成した場合でも、画素内の表示品位への影響を完全に防止することができないという問題点を有している。例えば、スペーサの周囲近傍にある液晶分子はスペーサの表面により配向方向が乱されるため、スペーサを画素間領域に形成しても、画素内のスペーサに隣接する部分では液晶分子の配向不良が発生しやすく、光抜けなどに起因する表示品位（コントラストなど）が低下する。また、スペーサを形成した基板上に配向膜を形成し、この配向膜にラビング処理を施す場合には、スペーサのラビング方向下流側にラビング処理が不十分となる領域が形成されやすいので、ラビング処理により付与される初期配向能が当該領域において弱くなり、これによっても表示品位の低下が生じる。
【０００６】
特に、カラーフィルタを有する液晶表示装置のように、異なる色相を呈する複数種類の画素が配列されている場合には、上記のスペーサによる表示への影響が画素の色相別に異なることにより、カラー表示の色合い（明度）が設計時において想定したものと異なったり、製品毎に表示色がばらついたりするという問題点がある。また、液晶表示装置の高精細化に伴って個々の画素面積も小さくなるため、画素数に対するスペーサの数密度も低下しつつあり、全画素に対応させてスペーサを形成するといったこともなくなりつつあるため、スペーサの位置による表示色のずれやばらつきも大きくなっている。
【０００７】
上記のスペーサに起因する表示品位の低下は、スペーサの断面積を小さくするなどスペーサの面積密度を低下させることによって或る程度抑制することができる。しかし、スペーサの面積密度を低下させると、スペーサの支持強度が低下することにより、基板間隔のばらつきが大きくなることによる表示品位の劣化が生じやすくなり、また、パネルの剛性が低下して耐圧性能が悪化するという問題点がある。例えば、支持剛性が不足したパネルの温度が低下すると、基板と液晶の収縮率の差によって液晶封入領域内に気泡が発生する場合がある。
【０００８】
そこで本発明は上記問題点を解決するものであり、その課題は、スペーサに起因する表示色のずれやばらつきを低減することのできる電気光学装置の構成を提供することにある。
【課題を解決するための手段】
【０００９】
上記問題点を解決するために、本発明の電気光学装置は、一対の基板の間に電気光学材料と、前記一対の基板の間隔を規定するスペーサが配置され、前記一対の基板のうち少なくとも一方の前記基板上に、異なる色相を呈する複数種類の画素が所定の色配列パターンにて繰り返し配列されてなる電気光学装置において、前記所定の色配列パターンにおける所定の配列方向には、前記複数種類の画素のうち少なくとも２種類以上の前記画素が所定の色配列パターン周期で繰り返し配列され、前記スペーサは、前記所定の配列方向に沿って前記色配列パターン周期及び１画素周期のいずれとも異なる形成周期で配列されていることを特徴とする。
【００１０】
また、本発明の別の電気光学装置は、一対の基板の間に電気光学材料が配置され、前記一対の基板の間隔を規定するスペーサが配置され、前記一対の基板のうち少なくとも一方の前記基板上に、異なる色相を呈する複数種類の画素が所定の色配列パターンにて繰り返し配列されてなる電気光学装置において、前記所定の色配列パターンにおける所定の配列方向には前記複数種類の画素のうち少なくとも２種類以上の前記画素が所定の色配列パターン周期で繰り返し配列され、前記所定の色配列パターンにおける所定の配列方向には、複数の前記スペーサからなり、少なくとも１つの前記スペーサ同士の間隔が、少なくとも１画素の間隔を開けて配置されてなるスペーサパターンが繰り返し配列され、前記スペーサパターンは、前記所定の配列方向に沿って前記色配列パターン周期と異なる形成周期で配列されていることを特徴とする。
【００１１】
上記の各発明によれば、色配列パターンにおける所定の配列方向のスペーサ若しくはスペーサパターンの形成周期が、当該配列方向の色配列パターン周期と異なることにより、色配列パターン内において所定の配列方向のスペーサの形成位置が当該配列方向の色配列パターンに対して少しずつずれることになるため、各色の画素に対するスペーサの影響を均一化することができることから、スペーサに起因する表示色のずれやばらつきを低減することができる。
【００１２】
本発明において、前記形成周期は、前記所定の配列方向に沿った画素周期を最小単位として設定されていることが好ましい。これによれば、所定の配列方向に見たスペーサの形成位置が常に各画素に対して一定の位置に設定できるので、スペーサによる表示品位への影響のばらつきが少なくなり、これによって表示色のずれやばらつきの程度をさらに抑制することができるとともに、スペーサの表示品位への影響そのものを全体として低減することができる。
【００１３】
本発明において、前記スペーサの前記所定の配列方向の形成周期はＮ画素周期（Ｎは前記色配列パターン周期に相当する数以外の任意の数）であり、前記色配列パターンは、前記所定の配列方向と直交する方向に見て、前記所定の配列方向に伸びる画素ラインに関してＭライン周期（Ｍは任意の数）のパターン配列を有し、前記スペーサの前記所定の配列方向と直交する方向の形成周期はＮ×Ｍ画素周期であることが好ましい。これによれば、所定の配列方向と直交する方向のスペーサの形成周期が、所定の配列方向のスペーサの形成周期Ｎと、当該直交する方向の色配列パターンのライン周期Ｍとの積となっていることにより、所定の配列方向と直交する方向に見て、ライン周期に整合した一定態様でスペーサを配列することができる。
【００１４】
ここで、一般にＮは高精細になるほど数が多くなる。また、Ｎは所定の配列方向に順次に繰り返し配列された画素の色種類の数の倍数を除く数である。さらに、Ｍは色配列パターンによって異なる任意の数であるが、通常、１、２、３のいずれかの数である。また、Ｎ×Ｍ画素周期内の複数の画素ライン間では、スペーサの形成位置が所定の配列方向と直交する方向から所定の配列方向にＮ画素周期より少ない所定距離だけずれた位置に配置されていることが好ましい。このずれ量は、色配列パターンの各ライン間における色配列パターン周期のずれとは異なることが望ましい。
【００１５】
本発明において、前記所定の色配列パターンは、前記所定の配列方向に沿って前記複数種類の画素が順次に繰り返し配列されてなるストライプ配列パターンであり、前記スペーサの前記形成周期はＮ画素周期（Ｎは任意の数）であり、前記スペーサの前記所定の配列方向と直交する方向の形成周期はＮ画素周期であることが好ましい。ストライプ配列パターンにおいては、一般に、所定の配列方向と直交する方向に同種類の画素が配列しているため、当該直交する方向のライン周期Ｍは１画素周期であり、スペーサの所定の配列方向の形成周期と、所定の配列方向と直交する方向の形成周期のいずれもがＮ画素周期となるので、色配列パターン全体に亘って特定色に偏ることなく均一にスペーサを分散配置できる。
【００１６】
本発明において、前記所定の色配列パターンは、前記所定の配列方向に沿って前記複数種類の画素が順次に繰り返し配列されてなるデルタ配列パターンであり、前記スペーサの前記形成周期はＮ画素周期（Ｎは前記色配列パターン周期に相当する数以外の任意の数）であり、前記スペーサの前記所定の配列方向と直交する方向の形成周期は２×Ｎ画素周期であることが好ましい。これによれば、デルタ配列パターンでは、一般に、所定の配列方向に沿って画素が配列されてなる画素ラインと、所定の配列方向と直交する方向に隣接する画素ラインとの間には、１画素より小さい量だけずれた画素配列態様を有し、所定の配列方向及びこれに直交する方向に隣接する３つの画素間が常に異なる色相となっている。そして、画素ラインの色配列パターンは、所定の配列方向と直交する方向のライン周期Ｍが２画素周期であり、スペーサの所定の配列方向と直交する方向の形成周期を２×Ｎ画素周期とすることにより、色配列パターン全体に亘って特定色に偏ることなく均一にスペーサを分散配置できる。
【００１７】
本発明において、前記所定の色配列パターンは、前記所定の配列方向に沿ってＬ種類（Ｌは任意の数）の前記画素が順次に繰り返し配列され、前記所定の配列方向と直交する方向に沿って前記Ｌ種類の画素が順次に繰り返し配列されてなるダイアゴナル配列パターンであり、前記スペーサの前記形成周期はＮ画素周期（Ｎは前記色配列パターン周期に相当する数以外の任意の数）であり、前記スペーサの前記所定の配列方向と直交する方向の形成周期はＬ×Ｎ画素周期であることが好ましい。これによれば、ダイアゴナル配列パターン（斜めモザイク配列パターン）では、画素ラインの色配列パターンは、所定の配列方向と直交する方向のライン周期がＬであり、スペーサの所定の配列方向と直交する方向の形成周期をＬ×Ｎ画素周期とすることにより、色配列パターン全体に亘って特定色に偏ることなく均一にスペーサを分散配置できる。
【００１８】
本発明において、前記所定の色配列パターンは、前記所定の配列方向に沿って前記複数種類の画素が順次に繰り返し配列されてなるペンタイル配列パターンであり、前記スペーサの前記形成周期はＮ画素周期（Ｎは前記色配列パターン周期に相当する数以外の任意の数）であり、前記スペーサの前記所定の配列方向と交差する方向の形成周期は２×Ｎ画素周期であることが好ましい。これによれば、ペンタイル配列パターンでは、画素ラインの色配列パターンは、所定の配列方向と直交する方向のライン周期Ｍが２画素周期であり、スペーサの所定の配列方向と直交する方向の形成周期を２×Ｎ画素周期とすることにより、色配列パターン全体に亘って特定色に偏ることなく均一にスペーサを分散配置できる。
【００１９】
本発明において、前記所定の色配列パターンは、前記所定の配列方向に沿って前記複数種類の画素が順次に繰り返し配列されてなるペンタゴナル配列パターンであり、前記スペーサの前記形成周期はＮ画素周期（Ｎは前記色配列パターン周期に相当する数以外の任意の数）であり、前記スペーサの前記所定の配列方向と交差する方向の形成周期は２×Ｎ画素周期であることが好ましい。これによれば、ペンタゴナル配列パターンでは、画素ラインの色配列パターンは、所定の配列方向と直交する方向のライン周期Ｍが２画素周期であり、スペーサの所定の配列方向と直交する方向の形成周期を２×Ｎ画素周期とすることにより、色配列パターン全体に亘って特定色に偏ることなく均一にスペーサを分散配置できる。
【００２０】
本発明において、前記スペーサは前記画素間の遮光領域に少なくとも一部が重なる位置に形成されていることが好ましい。本発明のスペーサは、上記条件さえ満たしていれば、画素内や画素間のいずれの領域の任意の場所に形成することができる。しかし、スペーサの少なくとも一部が画素間の遮光領域に形成されていることにより、スペーサによる表示への影響を低減することができる。ここで、スペーサの全てが遮光領域内に配置されていることがより望ましい。
【００２１】
本発明において、前記画素毎にスイッチング機能を有する能動素子を有し、前記スペーサは前記能動素子の形成領域に少なくとも一部が重なる位置に配置されていることが好ましい。本発明のスペーサは、上記条件さえ満たしていれば、画素内や画素間のいずれの領域の任意の場所に形成することができる。しかし、スペーサの少なくとも一部が能動素子の形成領域に重なる位置に形成されていることにより、スペーサによる表示への影響を低減することができる。能動素子の形成領域は比較的広い面積を有する場合が多いので、スペーサの形成位置としては最も望ましい。ここで、スペーサの全てが能動素子の形成領域内に配置されていることがより望ましい。
【００２２】
次に、本発明の電子機器は、上記のいずれかに記載の電気光学装置と、該電気光学装置を制御する制御手段とを有することを特徴とする。この電子機器において、電気光学装置は、例えば電子機器に関する種々の表示を行う際に用いられる。これによれば、配線間の電気的短絡及び配線の腐食を防止することができるので、電子機器の電気的信頼性を高めることができる。このような電子機器としては、パーソナルコンピュータ、携帯電話機、デジタルスチルカメラ、腕時計型情報機器、ＰＤＡ（Personal Digital Assistant）、液晶テレビ、ビューファインダ型又はモニタ直視型のビデオテープレコーダ、カーナビゲーション装置、ページャ、電子手帳、電卓、ワークステーション、テレビ電話、ＰＯＳ端末器等が考えられる。
【００２３】
なお、上記のスペーサは、前記一対の基板の間隔を規制するためのものであり、例えば、感光性樹脂を塗布して露光・現像を行うフォトリソグラフィ法など、絶縁材料の配置段階とパターニング段階とを有する工程によって形成することができる。一般に、スペーサは一対の基板の間隔を規制するためのものであるため、充分な高さ（例えば１〜１０μｍ程度）を有する。また、上述のＮ，Ｍ，Ｌは、画素領域を基準とする既定の位置にスペーサを配置する上で自然数であることが好ましいが、自然数以外の任意の数であっても構わない。
【発明を実施するための最良の形態】
【００２４】
次に、添付図面を参照して本発明に係る電気光学装置、電子機器及び電気光学装置の製造方法の実施形態について詳細に説明する。
【００２５】
[第１実施形態]
<全体構成>  図１は本発明に係る第１実施形態の液晶表示装置１００のパネル構造を模式的に示す概略平面図である。図２は図１に示す領域IIの電極構造を示す拡大平面図、図３は図１に示す領域IIのカラーフィルタ構造を示す拡大平面図、図４は各画素の能動素子の構造を示す拡大斜視図、図５は、図１に示すＶ−Ｖ線に沿って切断した断面の一部を拡大して模式的に示す概略拡大断面図である。なお、本明細書に添付された図面において、作図の都合上、各構造部の大きさ、配線幅、厚さなどはあくまでも模式的に描いてあり、実際の寸法を反映していたり、実際の寸法比を示したりするものではない。
【００２６】
この液晶表示装置１００は、図１に示すように、素子基板１２０と、対向基板１４０とをシール材１６２を介して貼り合わせることによって形成され、その内側に液晶１６７（図５参照）を封入したものである。また、素子基板１２０は対向基板１４０の外形よりも外側に張り出してなる基板張出部１２０ａを有し、この基板張出部１２０ａ上に半導体チップ１７２、１７４、１７６が実装されている。これら半導体チップ１７２、１７４、１７６は基板張出部１２０ａの端部に形成された入力端子１２９に導電接続されている。また、素子基板１２０と対向基板１４０のそれぞれの外面上には、図５に示すように、偏光板１３１、１３３及び１／４波長板１３２、１３４がそれぞれ貼着されている。
【００２７】
図１及び図２に示すように、素子基板１２０の内面（対向基板１４０に対向する側の面）には複数の配線１２２が形成されている。そして、この配線１２２に沿って配列される画素毎に、配線１２２に導電接続されるＴＦＤ素子１２３及びこのＴＦＤ素子１２３に導電接続される画素電極１２４が設けられている。複数の配線１２２は画素が配列されてなる駆動領域Ａ内を相互に平行に伸び、駆動領域Ａからその周囲に設けられた周辺領域Ｂに引き出され、さらにシール材１６２の配置領域を越えてその外側に伸びている。これらの配線１２２は、基板張出部１２０ａ上において半導体チップ１７２の図示しない端子にそれぞれ導電接続されている。
【００２８】
一方、対向基板１４０の内面（素子基板１２０に対向する面）には、上記駆動領域Ａ内において上記配線１２２と交差する方向に伸びる複数の電極１４４が形成されている。この電極１４４は駆動領域Ａからその両側の周辺領域Ｂに延在して配線１４４ａとなり、この配線１４４ａはシール材１６２の配置領域まで伸びている。
【００２９】
シール材１６２は図示しない多数の導電性粒子を混入してなる導電異方性シール材である。この導電性粒子は、シール材１６２を介して素子基板１２０と対向基板１４０とを貼り合わせたとき、シール材の厚さ方向には導電性を有するが、平面方向には導電性を有しないものとなっている。また、この導電性粒子は、シール材１６２の内部において基板間隔を規制するスペーサとしての機能をも有している。
【００３０】
上記の複数の配線１４４ａはシール材１６２を介して素子基板１２０上に設けられた複数の配線１２４ａのそれぞれに導電接続されている。すなわち、この実施形態では、シール材１６２のうち配線１４４ａが伸びる先にある両側の部分（直線状部分）が、対向基板１４０上の配線１４４ａを素子基板１２０上の配線１２４ａに導電接続させる上下導通部となっている。素子基板１２０上の複数の配線１２４ａは、シール材１６２の配置領域を通過して基板張出部１２０ａに引き出され、上記半導体チップ１７４，１７６の各端子にそれぞれ導電接続されている。
【００３１】
図４に示すように、ＴＦＤ素子１２３は第１ＴＦＤ要素１２３ａと第２ＴＦＤ要素１２３ｂとを直列に接続することによって形成されている。このＴＦＤ素子１２３は、例えば、次のように形成される。まず、基板１２０上にはＴａ２Ｏ５等で構成された密着性改善及び汚染防止用の下地層１２０ａが形成される。次に、この下地層１２０ａの上に、スパッタリング法やフォトリソグラフィ技術等を用いて、金属Ｔａ（タルタル）等によって構成される配線１２２の第１金属層１２２Ａ及びＴＦＤ素子１２３の第１金属層１２３Ａを形成する。次に、これら第１金属層１２２Ａ、１２３Ａの表面を陽極酸化処理等よって酸化して、Ｔａ２Ｏ５等で構成される配線１２２の絶縁膜１２３Ｂ及びＴＦＤ素子１２３の絶縁膜１２３Ｂを形成する。次に、これら絶縁膜１２２Ｂ及び１２３Ｂ上にＣｒ（クロム）等を積層することによって配線１２２の第２金属層１２２Ｃ及びＴＦＤ素子１２３の第２金属層１２３Ｃ、１２３Ｄを形成する。
【００３２】
ここで、第１金属層１２２Ａ、絶縁膜１２２Ｂ及び第２金属層１２２Ｃによって配線１２２が構成される。また、第１金属層１２３Ａ、絶縁膜１２３Ｂ及び第２金属層１２３Ｃによって第１ＴＦＤ要素２１３ａが構成され、第１金属層１２３Ａ、絶縁膜１２３Ｂ及び第２金属層１２３Ｄによって第２ＴＦＤ要素１２３ｂが構成される。そして、第１ＴＦＤ要素１２３ａの第２金属層１２３Ｃは配線１２２の第２金属層１２２Ｃから延びている。また、第２ＴＦＤ要素１２３ｂの第２金属層１２３Ｄはその先端が画素電極１２４に重なるように形成され、導電接続されている。なお、画素電極１２４は、ＩＴＯ（インジウムスズ酸化物）等の透明導電体で構成されている。
【００３３】
上記ＴＦＤ素子１２３により配線１２２から画素電極１２４に流れる電流は、第１ＴＦＤ要素１２３ａでは、第２金属層１２３Ｃ、絶縁膜１２３Ｂ、第１金属層１２３Ａの順に進み、第２ＴＦＤ要素１２３ｂでは、第１金属層１２３Ａ、絶縁膜１２３Ｂ、第２金属層１２３Ｄの順に進む。つまり、ＴＦＤ素子１２３においては、電気的に逆向きの一対のＴＦＤ要素が互いに直列に接続されている。このような構造は、一般に、バック・ツー・バック（Back-to-Back）構造と呼ばれており、この構造のＴＦＤ素子は、ＴＦＤ素子を１個のＴＦＤ要素だけによって構成する場合に比べて安定した特性を得られることが知られている。
【００３４】
上記配線層１２２、ＴＦＤ素子１２３及び画素電極１２４の上には、図５に示すように、絶縁材料で構成されたスペーサ（柱状スペーサ或いは支持突起）１２５が形成され、さらにその上に配向膜１２７が形成されている。スペーサ１２５は、素子基板１２０と対向基板１４０の間の基板間隔、いわゆるセルギャップをシール材１６２の内側の駆動領域Ａにおいてほぼ一定になるように規制するためのものである。スペーサ１２５は、感光性樹脂を用いたフォトリソグラフィ技術によって形成される。スペーサ１２５の形状は、円錐台、角錐台、円柱、その他の任意の形状とすることができる。なお、スペーサ１２５は、上記の画素電極１２４と対向電極１４４との重なり領域である画素領域内ではなく、画素間領域に配置されていることが好ましい。これにより、スペーサ１２５による液晶分子の配向の乱れが表示に影響する程度を小さくすることができる。なお、本実施形態において、スペーサ１２５は素子基板１２０にのみ形成されているが、対向基板１４０上にのみ形成してもよく、或いは、両基板１２０，１４０の双方に形成しても構わない。
【００３５】
一方、対向基板１４０上には、図５に示すように、その素子基板１２０に対向する側に、反射層１４１、カラーフィルタ１４２、保護層１４３、透明電極１４４及び配向膜１４７が順次積層されている。このように、本実施形態では、対向基板１４０がカラーフィルタ１４２を備えたカラーフィルタ基板となっている。ただし、カラーフィルタは素子基板１２０上に形成しても構わない。
【００３６】
上記の反射層１４１はＡｌ、Ａｇ、Ｃｒあるいはこれらの合金などから構成されている。ただし、液晶表示装置１００を透過型パネル構造とする場合には反射層は不要である。また、上記画素領域毎に反射層１４１に図示しない開口部を設けることにより、半透過反射型の液晶表示パネルを構成することができる。いずれにしても、本発明の電気光学装置は反射型、透過型、半透過反射型のいずれかに限定されるものではない。本実施形態では、反射層１４１の基板側に樹脂層１４０Ａが形成され、この樹脂層１４０Ａの表面が図示しない微細な凹凸形状となるように構成され、反射層１４１は下地面となる上記樹脂層１４０Ａの微細な凹凸表面を反映して光散乱性の反射面を有するように構成されることが好ましい。これによって、パネル内に入射した外光が散乱されるので、光源による幻惑や背景の写りこみを防止することができるとともに、反射型表示の明るさを増大させることができる。
【００３７】
本実施形態において、カラーフィルタ１４２は、図３に示すように、所定の配列方向（図示左右方向）に複数種類の着色層１４２（Ｂ），１４２（Ｇ），１４２（Ｒ）が順次に繰り返し配列され、所定の配列方向と直交する方向（図示上下方向）に同じ色相の着色層が配列されてなるストライプ配列の色配列パターンを備えている。なお、図中において着色層１４２（Ｂ）が配置されてなる画素Ｐを単に「Ｂ」で示し、着色層１４２（Ｇ）が配置されてなる画素Ｐを単に「Ｇ」で示し、着色層１４２（Ｒ）が配置されてなる画素Ｐを「Ｒ」で示し、以下、上記のそれぞれの画素Ｐを、画素Ｂ，画素Ｇ、画素Ｒということとする。
【００３８】
カラーフィルタ１４２は、赤（Ｒ）、緑（Ｇ）、青（Ｂ）などの着色層１４２（Ｒ）、１４２（Ｇ）、１４２（Ｂ）をストライプ配列以外の、デルタ配列、斜めモザイク配列などの適宜の色配列パターンにて形成してもよい。カラーフィルタ１４２はフォトリソグラフィ技術によって各色事に繰り返しパターニングすることによって構成されている。なお、図５においては、青（Ｂ）の着色層１４２（Ｂ）が各画素Ｐに形成されている断面部分のみが図示されているが、実際には、図５の紙面と直交する方向には、赤（Ｒ）の着色層１２４（Ｒ）の形成されている画素や緑（Ｇ）の着色層１２４（Ｇ）の形成されている画素Ｐが配列されている。
【００３９】
また、各画素Ｐの間には複数の着色層を積層してなる遮光領域Ｋが設けられている。この遮光領域Ｋは、Ｃｒなどの金属層やブラックマトリクスなどの樹脂層によって構成されていてもよい。保護層１４３はカラーフィルタ１４２の表面を平坦化するとともに、不純物などから着色層を保護するためのものであり、例えば、透明なアクリル樹脂などで構成できる。
【００４０】
電極１４４は帯状に形成され、対向基板１４０に亘って多数の透明電極１４４がストライプ状に配列されている。電極１４４はＩＴＯ（インジウムスズ酸化物）等の透明導電体によって構成されている。また、この電極１４４には、同じ透明導電体で構成された上記の配線１４４ａが接続されている。
【００４１】
以上説明した構造を有する液晶表示装置１００では、外部から供給される制御信号が入力端子１２９に与えられると、これに対応して半導体チップ１７２、１７４、１７６から駆動信号が配線１２２、１２４ａに出力される。配線１２２に出力される駆動信号はＴＦＤ素子１２３に印加されて画素電極１２４に所定の電位を与える。また、配線１２４ａに出力される駆動信号はシール材１６２に混入された導電性粒子１６２を介して配線１４４ａに送られ、電極１４４に印加される。そして、画素電極１２４と電極１４４との間に印加される電圧に応じて画素領域毎に液晶分子が所定状態に配向制御され、所定の光変調状態を実現するようになっている。
【００４２】
上記実施形態において、スペーサ１２５は画素間領域でもある遮光領域Ｋにスペーサ１２５が配置されていることが、スペーサ１２５による液晶分子の配向不良に起因する光漏れを防止する上で好ましい。スペーサ１２５は、その少なくとも一部が上記画素間領域或いは遮光領域Ｋに重なるように配置されていればよいが、スペーサ１２５が全て上記画素間領域或いは遮光領域Ｋ内に配置されるように構成されることがより望ましい。
【００４３】
また、画素間領域のうち上記ＴＦＤ１２３の形成領域にスペーサ１２５が配置されていることが、スペーサ１２５の配置面積を充分に確保できる点で好ましい。スペーサ１２５は、その少なくとも一部が上記ＴＦＤ１２３の形成領域に重なるように配置されていればよいが、スペーサ１２５が全て上記形成領域内に配置されるように構成されることがより望ましい。また、遮光領域Ｋが能動素子の形成領域を含み、かつ、スペーサが当該形成領域に配置されていることが最も好ましい。
【００４４】
なお、以下の説明においては、スペーサ１２５が画素間領域、遮光領域Ｋ、或いは、ＴＦＤ１２３などの能動素子の形成領域に配置されていることを前提として説明するが、スペーサ１２５の形成位置の説明の都合上、以下においては、スペーサ１２５がいずれかの最近接画素に対応した位置に形成されているものとして説明を行う。もっとも、本発明においては、スペーサ１２５は上述のように画素の外側に配置されていてもよく、或いは、画素内に配置されていても構わない。
【００４５】
<色配列パターンとスペーサの形成位置>  図５には、スペーサ１２５が各画素Ｐに一つずつ対応して形成されているように示してあるが、本実施形態においては、所定のルールのもとで画素Ｐの数よりも少ない数のスペーサ１２５が分散配置されている。通常、全ての画素Ｐに対応して配置されたスペーサ１２５を有する場合には、各画素Ｐに対して定まった位置にスペーサ１２５を配置すればよいので、画素の色Ｒ，Ｇ，Ｂについてスペーサ１２５による表示への影響のばらつきは発生しにくいが、特に、高精細な表示を実現可能に構成すると、スペーサ１２５の数密度が画素の数密度に較べて小さくて足りることになることから、スペーサ１２５の配置によって表示色のずれやばらつきが発生する恐れが高くなる。
【００４６】
図６は、本実施形態のスペーサ１２５の形成パターンを模式的に示す概略平面図である。色配列パターンは上記の通りストライプ配列であり、配列方向Ｘに沿って複数種類の画素Ｂ，Ｇ，Ｒが順次に繰り返し配列されている。また、上記配列方向Ｘと直交する配列方向Ｙには、同種類の画素が配列されている。ここで、配列方向Ｘに沿って複数の画素Ｂ，Ｇ，Ｒが配列されてなる画素ラインを、配列方向Ｙに沿って順次にＬ１、Ｌ２，Ｌ３，・・・とすれば、各画素ラインＬ１，Ｌ２，Ｌ３は配列方向Ｙに同種類の画素が配列されているため、全て同一の色配列パターンとなっている。したがって、このストライプ配列の場合、色配列パターンにおける配列方向Ｙに見た画素ラインのライン周期は１画素周期（Ｍ＝１）である。
【００４７】
本実施形態では、スペーサ１２５は、各画素ラインＬ１，Ｌ２，Ｌ３，・・・において、配列方向Ｘに見て、配列方向Ｘに沿った各画素ラインの色配列パターン周期と異なる形成周期となるように配置されている。具体的には、配列方向Ｘの各画素ラインの色配列パターン周期は３画素周期であり、配列方向Ｘのスペーサ１２５の形成周期は２画素周期（Ｎ＝２）である。したがって、スペーサ１２５は、各画素ラインにおいて複数種類の画素Ｂ，Ｇ，Ｒに対応する位置にそれぞれ分散して配置されるので、複数種類の画素Ｂ，Ｇ，Ｒの表示品位への影響が偏ることがなくなり、表示色のずれやばらつきを低減することができる。
【００４８】
また、本実施形態では、配列方向Ｙに沿ったスペーサ１２５の形成周期は、上記配列方向Ｘに沿った形成周期Ｎと同様の２画素周期（Ｍ×Ｎ＝２）となっており、これによって、配列方向ＸとＹのいずれにもほぼ均等にスペーサ１２５が分散した状態が得られている。特に、配列方向Ｙに沿ったスペーサ１２５の形成周期である２画素周期に含まれる隣接する画素ライン間に設けられたスペーサ１２５の位置は、配列方向Ｘに１画素分ずれた位置に設定されている。これによって、スペーサ１２５の配置の分散状態の均一性を維持したまま、その数密度を増大させることができる。
【００４９】
ここで、２（Ｎ×Ｍ）画素周期内の複数の画素ライン間では、スペーサの形成位置が配列方向Ｘに２（Ｎ）画素周期より少ない所定距離だけずれた位置に配置されていることが好ましい。なお、図示例では、各画素ラインＬ１，Ｌ２，Ｌ３，・・・にそれぞれスペーサ１２５が形成されているが、２ライン周期で１つの画素ラインにのみ、すなわち１つおきの画素ラインにのみスペーサ１２５を形成してもよい。
【００５０】
[第２実施形態]
次に、図７を参照して、本発明に係る第２実施形態の電気光学装置について説明する。図７は第２実施形態に係る液晶表示装置の色配列パターン突起の形成位置を模式的に示す平面図である。本実施形態の図７に示す事項以外の他の構成は上記第１実施形態と同様であるので、それらの説明は省略する。
【００５１】
この実施形態において、色配列パターンは第１実施形態と同様のストライプ配列であり、その配列方向Ｙに沿ったライン周期は１画素周期（Ｍ＝１）であるが、スペーサ１２５の配列方向Ｘに沿った形成周期は４画素周期（Ｎ＝４）である点で、第１実施形態とは異なる。この実施形態でも、上記形成周期は４画素周期（Ｎ＝４）であるから、配列方向Ｘに沿った色配列パターン周期の３画素周期とは異なるため、上記第１実施形態と同様の効果を得ることができる。
【００５２】
また、スペーサ１２５の配列方向Ｙに沿った形成周期は、上記の配列方向Ｘに沿った形成周期と同様に４画素周期（Ｍ×Ｎ＝４）となっているので、配列方向Ｘと配列方向Ｙのいずれにもほぼ均等な間隔でスペーサ１２５が配列されていることになる。本実施形態でも、配列方向Ｙに沿った４画素周期に含まれる隣接する４つの画素ライン間では、スペーサ１２５の形成位置は１画素分ずつ配列方向Ｘにずれている。ただし、この実施形態でも、ずれ量に関しては上記第１実施形態と同様である。また、本実施形態では、隣接する４つの画素ラインの全てにおいてスペーサ１２５が形成されているが、この実施形態でも、４つの画素ラインのうち少なくとも一つの画素ラインにスペーサが形成されていればよい。
【００５３】
[第３実施形態]
次に、図８を参照して、本発明に係る第３実施形態の電気光学装置について説明する。図８は第３実施形態に係る液晶表示装置の色配列パターン突起の形成位置を模式的に示す平面図である。本実施形態の図８に示す事項以外の他の構成は上記第１実施形態と同様であるので、それらの説明は省略する。
【００５４】
この実施形態では、色配列パターンはストライプ配列であり、配列方向Ｙに沿ったライン周期は１画素周期（Ｍ＝１）であって上記各実施形態と同様であるが、スペーサ１２５の配列方向Ｘに沿った形成周期は５画素周期（Ｎ＝５）である点で異なり、また、配列方向Ｙに沿ったスペーサ１２５の形成周期は５画素周期（Ｍ×Ｎ＝５）である。
【００５５】
本実施形態において、配列方向Ｙに隣接する画素ライン間のスペーサ１２５の位置は２画素分だけ配列方向Ｘにずれている。この点では上記各実施形態の１画素分のずれ量とは異なる。このように、配列方向Ｙに隣接する画素ライン間におけるスペーサ１２５の形成位置のずれ量は任意である。ただし、配列方向Ｙに隣接する画素ライン間におけるスペーサ１２５の形成位置のずれ量が配列方向Ｘに沿ったスペーサ１２５の形成周期（本実施形態では５画素周期）と異なることが、スペーサ１２５をより均等に分散配置させる上で好ましい。
【００５６】
［第４実施形態］
図９は、本発明に係る第４実施形態におけるスペーサ１２５の形成パターンを模式的に示す概略平面図である。この実施形態の色配列パターンはデルタ配列である。このデルタ配列においては、配列方向Ｘに複数種類の画素Ｂ，Ｒ，Ｇが順次に繰り返し配列され、配列方向Ｙに隣接する画素ライン間において画素位置が１画素未満の所定量（図示例では１／２画素分）だけ配列方向Ｘにずれている。そして、配列方向Ｘ及びＹに隣接する３つの画素が必ず相互に異なる色相を呈するパターンとなっている。このデルタ配列の色配列パターンにおいては、配列方向Ｙに配列される画素ラインＬ１，Ｌ２，Ｌ３，・・・において、ライン周期が２画素周期（Ｍ＝２）となっている。また、この色配列パターンでは、配列方向Ｘに沿った画素位置についても２ライン周期で（すなわち１画素ライン毎に交互に）ずれている。
【００５７】
本実施形態では、スペーサ１２５は、各画素ラインＬ１，Ｌ２，Ｌ３，・・・において、配列方向Ｘに見て、配列方向Ｘに沿った各画素ラインの色配列パターン周期と異なる形成周期となるように配置されている。具体的には、配列方向Ｘの各画素ラインの色配列パターン周期は３画素周期であり、配列方向Ｘのスペーサの形成周期は２画素周期（Ｎ＝２）である。したがって、スペーサ１２５は、各画素ラインにおいて複数種類の画素Ｂ，Ｇ，Ｒに対応する位置に分散して配置されるので、複数種類の画素Ｂ，Ｇ，Ｒの表示品位への影響が偏ることがなくなり、表示色のずれやばらつきを低減することができる。
【００５８】
また、本実施形態では、配列方向Ｙに沿ったスペーサ１２５の形成周期は、上記配列方向Ｘに沿った形成周期Ｎの２倍の４画素周期（Ｍ×Ｎ＝４）となっており、これによって、配列方向ＸとＹのいずれにもスペーサ１２５が分散した状態が得られている。特に、配列方向Ｙに沿ったスペーサ１２５の形成周期である４画素周期内に含まれる４画素ラインのうちライン周期毎に２つの画素ライン（すなわち１つおきの画素ライン）に対応させてスペーサ１２５が配置され、ライン周期毎のスペーサの形成位置は、配列方向Ｘに１画素分ずれた位置に設定されている。これによって、スペーサ１２５の配置の分散状態の均一性を高めることができ、しかも、その数密度を増大させることができる。ここで、４（Ｎ×Ｍ）画素周期内の複数の画素ライン間では、スペーサの形成位置が配列方向Ｘに２（Ｎ）画素周期より少ない所定距離だけずれた位置に配置されていることが好ましい。なお、図示例では、一つおきの画素ラインＬ１，Ｌ３，Ｌ５，・・・にそれぞれスペーサ１２５が形成されているが、Ｌ２，Ｌ４，Ｌ６，・・・にそれぞれスペーサ１２５を形成してもよく、また、４画素ライン周期で例えばＬ１，Ｌ５，Ｌ９，・・・にのみスペーサを設けても構わない。隣接する４画素ラインのうち少なくとも一つの画素ラインにスペーサが形成されていればよい。
【００５９】
［第５実施形態］
次に、図１０を参照して、本発明に係る第５実施形態の電気光学装置について説明する。図１０は第５実施形態に係る液晶表示装置の色配列パターン突起の形成位置を模式的に示す平面図である。本実施形態の図１０に示す事項以外の他の構成は上記第１実施形態と同様であるので、それらの説明は省略する。
【００６０】
この実施形態において、色配列パターンは第４実施形態と同様のデルタ配列であり、配列方向Ｙに沿ったライン周期は２画素周期（Ｍ＝２）であるが、スペーサ１２５の配列方向Ｘに沿った形成周期は４画素周期（Ｎ＝４）である点で、第４実施形態とは異なる。この実施形態でも、上記形成周期は４画素周期（Ｎ＝４）であるから、配列方向Ｘに沿った色配列パターン周期の３画素周期とは異なるため、上記第１実施形態と同様の効果を得ることができる。
【００６１】
また、スペーサ１２５の配列方向Ｙに沿った形成周期は、上記の配列方向Ｘに沿った形成周期の２倍の８画素周期（Ｍ×Ｎ＝８）となっているので、配列方向ＸとＹのいずれにも均等間隔でスペーサ１２５が配列されていることになる。本実施形態でも、配列方向Ｙに沿った８画素周期に含まれる隣接する８つの画素ラインのうちの一つおきの画素ラインにのみスペーサが形成され、これらの４つの画素ライン間では、スペーサ１２５の形成位置は１画素分ずつ配列方向Ｘにずれている。ただし、この実施形態でも、上記と同様に、８つの画素ライン全てにスペーサが形成されてもよく、また、４以外の任意の数の画素ラインにスペーサが形成されていてもよいなど、８つの隣接する画素ラインのうち少なくとも一つにスペーサが形成されていればよい。さらに、配列方向Ｙに隣接するスペーサの配列方向Ｘへの位置ずれ量は、上記１画素分に限らず、上記と同様に任意に設定することができる。
【００６２】
[第６実施形態]
次に、図１１を参照して、本発明に係る第６実施形態の電気光学装置について説明する。図１１は第６実施形態に係る液晶表示装置の色配列パターン突起の形成位置を模式的に示す平面図である。本実施形態の図１１に示す事項以外の他の構成は上記第１実施形態と同様であるので、それらの説明は省略する。
【００６３】
この実施形態では、色配列パターンは第４及び第５実施形態と同様のデルタ配列であり、配列方向Ｙに沿ったライン周期は２画素周期（Ｍ＝２）であって上記と同様であるが、スペーサ１２５の配列方向Ｘに沿った形成周期は５画素周期（Ｎ＝５）である点で異なり、配列方向Ｙに沿ったスペーサ１２５の形成周期は１０画素周期（Ｍ×Ｎ＝１０）である。また、スペーサ１２５が配列方向Ｙに沿って１画素ラインおきに形成されている点でも上記と同様である。このスペーサ１２５が形成周期に含まれる１０画素ラインのうち、いずれの画素ラインにスペーサを形成するかは上記と同様に任意である。さらに、配列方向Ｙに１つの画素ラインを挟んで隣接する画素ライン間のスペーサ１２５の位置が１画素分だけ配列方向Ｘにずれている点でも、上記実施形態のずれ量と同様である。このずれ量についても、上記と同様に任意に設定することができる。
【００６４】
［第７実施形態］
図１２は、本発明に係る第７実施形態におけるスペーサ１２５の形成パターンを模式的に示す概略平面図である。この実施形態の色配列パターンはダイアゴナル（斜めモザイク）配列である。このダイアゴナル配列においては、配列方向Ｘに複数種類の画素Ｂ，Ｒ，Ｇが順次に繰り返し配列されるとともに、配列方向Ｙにも複数種類の画素Ｂ，Ｇ，Ｒが順次に繰り返し配列され、配列方向Ｘ及びＹに隣接する画素間では必ず色相が異なるように構成される。このダイアゴナル配列の色配列パターンにおいては、配列方向Ｙに配列される画素ラインＬ１，Ｌ２，Ｌ３，・・・において、ライン周期が３画素周期（Ｍ＝３）となっている。
【００６５】
本実施形態では、スペーサ１２５は、各画素ラインＬ１，Ｌ２，Ｌ３，・・・において、配列方向Ｘに見て、配列方向Ｘに沿った各画素ラインの色配列パターン周期と異なる形成周期となるように配置されている。具体的には、配列方向Ｘの各画素ラインの色配列パターン周期は３画素周期であり、配列方向Ｘのスペーサの形成周期は２画素周期（Ｎ＝２）である。したがって、スペーサ１２５は、各画素ラインにおいて複数種類の画素Ｂ，Ｇ，Ｒに対応する位置に分散して配置されるので、複数種類の画素Ｂ，Ｇ，Ｒの表示品位への影響が偏ることがなくなり、表示色のずれやばらつきを低減することができる。
【００６６】
また、本実施形態では、配列方向Ｙに沿ったスペーサ１２５の形成周期は、上記配列方向Ｘに沿った形成周期Ｎの３倍の６画素周期（Ｍ×Ｎ＝６）となっており、これによって、配列方向ＸとＹのいずれにもスペーサ１２５が分散した状態が得られている。特に、配列方向Ｙに沿ったスペーサ１２５の形成周期である６画素周期内に含まれる全ての６つの画素ラインにそれぞれスペーサ１２５が形成され、隣接する画素ライン間でスペーサ１２５の形成位置が配列方向Ｘにずれている。このずれ量は１画素分である。これによって、スペーサ１２５の配置の分散状態の均一性を高めることができ、しかも、その数密度を増大させることができる。ここで、６（Ｎ×Ｍ）画素周期内の複数の画素ライン間では、スペーサの形成位置が配列方向Ｘに２（Ｎ）画素周期より少ない所定距離だけずれた位置に配置されていることが好ましい。なお、図示例では、全ての画素ラインＬ１，Ｌ２，Ｌ３，・・・にそれぞれスペーサ１２５が形成されているが、一つおきの画素ラインＬ１，Ｌ３，Ｌ５，・・・にそれぞれスペーサ１２５を形成してもよいなど、いずれにしても配列方向Ｙに沿ったスペーサの形成周期に含まれる６つの画素ラインのうち少なくとも一つの画素ラインにスペーサが設けられていればよい。
【００６７】
［第８実施形態］
次に、図１３を参照して、本発明に係る第８実施形態の電気光学装置について説明する。図１３は第８実施形態に係る液晶表示装置の色配列パターン突起の形成位置を模式的に示す平面図である。本実施形態の図１３に示す事項以外の他の構成は上記第１実施形態と同様であるので、それらの説明は省略する。
【００６８】
この実施形態において、色配列パターンは第７実施形態と同様のダイアゴナル配列であり、配列方向Ｙに沿ったライン周期は３画素周期（Ｍ＝３）であるが、スペーサ１２５の配列方向Ｘに沿った形成周期Ｎは４である点で、第４実施形態とは異なる。この実施形態でも、上記形成周期は４画素周期（Ｎ＝４）であるから、配列方向Ｘに沿った色配列パターン周期の３画素周期とは異なるため、上記第７実施形態と同様の効果を得ることができる。
【００６９】
また、スペーサ１２５の配列方向Ｙに沿った形成周期は、上記の配列方向Ｘに沿った形成周期の３倍の１２画素周期（Ｍ×Ｎ＝１２）となっていて、配列方向ＸとＹのいずれにもスペーサ１２５が分散配列されている。本実施形態でも、配列方向Ｙに沿った１２画素周期に含まれる隣接する１２つの画素ラインのうち３画素ライン周期で２つおきの画素ラインにのみスペーサが形成され、これらの４つの画素ライン間では、スペーサ１２５の形成位置は１画素分ずつ配列方向Ｘにずれている。ここで、隣接する１２の画素ライン間では、スペーサの形成位置が配列方向Ｘに４（Ｎ）画素周期より少ない所定距離だけずれた位置に配置されていることが好ましい。このずれ量は任意である。なお、この実施形態でも、上記と同様に、１２つの画素ライン全てにスペーサが形成されてもよく、また、４以外の任意の数の画素ラインにスペーサが形成されていてもよいなど、少なくとも一つの画素ラインにスペーサが形成されていればよい。
【００７０】
[第９実施形態]
次に、図１４を参照して、本発明に係る第９実施形態の電気光学装置について説明する。図１４は第９実施形態に係る液晶表示装置の色配列パターン突起の形成位置を模式的に示す平面図である。本実施形態の図１４に示す事項以外の他の構成は上記第１実施形態と同様であるので、それらの説明は省略する。
【００７１】
この実施形態では、色配列パターンは第７及び第８実施形態と同様のダイアゴナル配列であり、配列方向Ｙに沿ったライン周期は３画素周期（Ｍ＝３）であって上記と同様であるが、スペーサ１２５の配列方向Ｘに沿った形成周期は５画素周期（Ｎ＝５）である点で異なり、配列方向Ｙに沿ったスペーサ１２５の形成周期は１５画素周期（Ｍ×Ｎ＝１５）である。また、スペーサ１２５が配列方向Ｙに沿って３画素ライン周期で（２画素ラインおきに）形成されている点でも上記と同様である。このスペーサ１２５が形成周期に含まれる１５画素ラインのうち、いずれの画素ラインにスペーサを形成するかは上記と同様に任意である。さらに、配列方向Ｙに２つの画素ラインを挟んで隣接する画素ライン間のスペーサ１２５の位置が１画素分だけ配列方向Ｘにずれている点でも、上記実施形態のずれ量と同様である。このずれ量についても、上記と同様に任意に設定することができる。ただし、隣接する１５の画素ライン間では、スペーサの形成位置が配列方向Ｘに５（Ｎ）画素周期より少ない所定距離だけずれた位置に配置されていることが好ましい。
【００７２】
［第１０実施形態］
図１５は、本発明に係る第１０実施形態におけるスペーサ１２５の形成パターンを模式的に示す概略平面図である。この実施形態の色配列パターンはペンタイル配列である。このペンタイル配列においては、配列方向Ｘに３種類の画素Ｂ，Ｒ，Ｇが順次に繰り返し配列されるとともに、これらの３つの画素のうち２つの画素の属する配列方向Ｙに沿った列では２種類Ｇ，Ｒが順次に繰り返し配列され、残りの一つの画素の属する配列方向Ｙに沿った列では同色の画素Ｂが配列されている。このペンタイル配列の色配列パターンにおいては、配列方向Ｙに配列される画素ラインＬ１，Ｌ２，Ｌ３，・・・のライン周期が２画素周期（Ｍ＝２）となっている。
【００７３】
本実施形態では、スペーサ１２５は、各画素ラインＬ１，Ｌ２，Ｌ３，・・・において、配列方向Ｘに見て、配列方向Ｘに沿った各画素ラインの色配列パターン周期と異なる形成周期となるように配置されている。具体的には、配列方向Ｘの各画素ラインの色配列パターン周期は３画素周期であり、配列方向Ｘのスペーサの形成周期は４画素周期（Ｎ＝４）である。したがって、スペーサ１２５は、各画素ラインにおいて複数種類の画素Ｂ，Ｇ，Ｒに対応する位置に分散して配置されるので、複数種類の画素Ｂ，Ｇ，Ｒの表示品位への影響が偏ることがなくなり、表示色のずれやばらつきを低減することができる。
【００７４】
また、本実施形態では、配列方向Ｙに沿ったスペーサ１２５の形成周期は、上記配列方向Ｘに沿った形成周期Ｎの２倍の８画素周期（Ｍ×Ｎ＝８）となっており、これによって、配列方向ＸとＹのいずれにもスペーサ１２５が分散した状態が得られている。特に、配列方向Ｙに沿ったスペーサ１２５の形成周期である８画素周期内に含まれる８つの画素ラインのうちライン周期に合わせて４つの画素ラインにそれぞれスペーサ１２５が形成され、一つの画素ラインを挟んで隣接する画素ライン間でスペーサ１２５の形成位置が配列方向Ｘにずれている。このずれ量は１画素分である。これによって、スペーサ１２５の配置の分散状態の均一性を高めることができ、しかも、その数密度を増大させることができる。ここで、８（Ｎ×Ｍ）画素周期内の複数の画素ライン間では、スペーサの形成位置が所定の配列方向と直交する方向から所定の配列方向に４（Ｎ）画素周期より少ない所定距離だけずれた位置に配置されていることが好ましい。なお、図示例では、一つおきの画素ラインＬ１，Ｌ３，Ｌ５，・・・にそれぞれスペーサ１２５が形成されているが、全ての画素ラインＬ１，Ｌ２，Ｌ３，・・・にそれぞれスペーサ１２５を形成してもよいなど、配列方向Ｙに沿ったスペーサの形成周期に含まれる８つの画素ラインのうちの少なくとも一つの画素ラインにスペーサが設けられていればよい。
【００７５】
［第１１実施形態］
図１６は、本発明に係る第１１実施形態におけるスペーサ１２５の形成パターンを模式的に示す概略平面図である。この実施形態の色配列パターンはペンタゴナル配列である。このペンタゴナル配列においては、配列方向Ｘに３種類の画素Ｂ，Ｒ，Ｇが順次に繰り返し配列されるとともに、配列方向Ｙに隣接する画素ライン間において色配列パターンが配列方向Ｘに１画素分ずれ、このずれの向きが配列方向Ｙに沿って交互に逆向きとなるように構成されている。このペンタゴナル配列の色配列パターンにおいては、配列方向Ｙに配列される画素ラインＬ１，Ｌ２，Ｌ３，・・・において、そのライン周期が２画素周期（Ｍ＝２）となっている。
【００７６】
本実施形態では、スペーサ１２５は、各画素ラインＬ１，Ｌ２，Ｌ３，・・・において、配列方向Ｘに見て、配列方向Ｘに沿った各画素ラインの色配列パターン周期と異なる形成周期となるように配置されている。具体的には、配列方向Ｘの各画素ラインの色配列パターン周期は３画素周期であり、配列方向Ｘのスペーサの形成周期は５画素周期（Ｎ＝５）である。したがって、スペーサ１２５は、各画素ラインにおいて複数種類の画素Ｂ，Ｇ，Ｒに対応する位置に分散して配置されるので、複数種類の画素Ｂ，Ｇ，Ｒの表示品位への影響が偏ることがなくなり、表示色のずれやばらつきを低減することができる。
【００７７】
また、本実施形態では、配列方向Ｙに沿ったスペーサ１２５の形成周期は、上記配列方向Ｘに沿った形成周期Ｎの２倍の１０画素周期（Ｍ×Ｎ＝１０）となっており、これによって、配列方向ＸとＹのいずれにもスペーサ１２５が分散した状態が得られている。特に、配列方向Ｙに沿ったスペーサ１２５の形成周期である１０画素周期内に含まれる１０の画素ラインのうちライン周期に合わせて５つの画素ラインにそれぞれスペーサ１２５が形成され、一つの画素ラインを挟んで隣接する画素ライン間でスペーサ１２５の形成位置が配列方向Ｘにずれている。このずれ量は１画素分である。これによって、スペーサ１２５の配置の分散状態の均一性を高めることができ、しかも、その数密度を増大させることができる。ここで、１０（Ｎ×Ｍ）画素周期内の複数の画素ライン間では、スペーサの形成位置が所定の配列方向と直交する方向から所定の配列方向に５（Ｎ）画素周期より少ない所定距離だけずれた位置に配置されていることが好ましい。なお、図示例では、一つおきの画素ラインＬ１，Ｌ３，Ｌ５，・・・にそれぞれスペーサ１２５が形成されているが、全ての画素ラインＬ１，Ｌ２，Ｌ３，・・・にそれぞれスペーサ１２５を形成してもよいなど、配列方向Ｙに沿ったスペーサの形成周期に含まれる１０の画素ラインのうちの少なくとも一つの画素ラインにスペーサが設けられていればよい。
【００７８】
［第１２実施形態］
図１７は、本発明に係る第１２実施形態におけるスペーサ１２５の形成パターンを模式的に示す概略平面図である。この実施形態の色配列パターンは４種類の画素Ｇ，Ｂ，Ｒ，Ｅ（エメラルド）を含むストライプ配列である。このストライプ配列においては、配列方向Ｘに４種類の画素Ｇ，Ｂ，Ｒ，Ｅが順次に繰り返し配列されるとともに、配列方向Ｙに同色の画素が配列されている。このストライプ配列の色配列パターンにおいては、配列方向Ｙに配列される画素ラインＬ１，Ｌ２，Ｌ３，・・・において、ライン周期が１画素周期（Ｍ＝１）となっている。
【００７９】
本実施形態では、スペーサ１２５は、各画素ラインＬ１，Ｌ２，Ｌ３，・・・において、配列方向Ｘに見て、配列方向Ｘに沿った各画素ラインの色配列パターン周期と異なる形成周期となるように配置されている。具体的には、配列方向Ｘの各画素ラインの色配列パターン周期は４画素周期であり、配列方向Ｘのスペーサの形成周期は５画素周期（Ｎ＝５）である。したがって、スペーサ１２５は、各画素ラインにおいて複数種類の画素Ｂ，Ｇ，Ｒ，Ｅに対応する位置に分散して配置されるので、複数種類の画素Ｂ，Ｇ，Ｒ，Ｅの表示品位への影響が偏ることがなくなり、表示色のずれやばらつきを低減することができる。
【００８０】
また、本実施形態では、配列方向Ｙに沿ったスペーサ１２５の形成周期は、上記配列方向Ｘに沿った形成周期Ｎと同じ５画素周期（Ｍ×Ｎ＝５）となっており、これによって、配列方向ＸとＹのいずれにもスペーサ１２５が分散した状態が得られている。特に、配列方向Ｙに沿ったスペーサ１２５の形成周期である５画素周期内に含まれる５の画素ラインの全てにそれぞれスペーサ１２５が形成され、隣接する画素ライン間でスペーサ１２５の形成位置が配列方向Ｘにずれている。このずれ量は１画素分である。これによって、スペーサ１２５の配置の分散状態の均一性を高めることができ、しかも、その数密度を増大させることができる。ここで、５（Ｎ×Ｍ）画素周期内の複数の画素ライン間では、スペーサの形成位置が所定の配列方向と直交する方向から所定の配列方向に５（Ｎ）画素周期より少ない所定距離だけずれた位置に配置されていることが好ましい。なお、図示例では、全ての画素ラインＬ１，Ｌ２，Ｌ３，・・・にそれぞれスペーサ１２５が形成されているが、配列方向Ｙに沿ったスペーサの形成周期に含まれる５つの画素ラインのうち少なくとも一つの画素ラインにスペーサが設けられていればよい。
【００８１】
［第１３実施形態］
図１８は、本発明に係る第１３実施形態におけるスペーサ１２５の形成パターンを模式的に示す概略平面図である。この実施形態の色配列パターンは４種類の画素Ｇ，Ｂ，Ｒ，Ｅ（エメラルド）を含むモザイク配列である。このモザイク配列においては、配列方向Ｘに２種類の画素Ｇ，Ｒ又はＥ，Ｂが順次に繰り返し配列されるとともに、配列方向Ｙに２種類の画素Ｇ，Ｒ又はＲ，Ｂが順次に繰り返し配列されている。このモザイク配列の色配列パターンにおいては、配列方向Ｙに配列される画素ラインＬ１，Ｌ２，Ｌ３，・・・において、ライン周期が２画素周期（Ｍ＝２）となっている。
【００８２】
本実施形態では、スペーサ１２５は、各画素ラインＬ１，Ｌ２，Ｌ３，・・・において、配列方向Ｘに見て、配列方向Ｘに沿った各画素ラインの色配列パターン周期と異なる形成周期となるように配置されている。具体的には、配列方向Ｘの各画素ラインの色配列パターン周期は２画素周期であり、配列方向Ｘのスペーサの形成周期は５画素周期（Ｎ＝５）である。したがって、スペーサ１２５は、各画素ラインにおいて複数種類の画素Ｂ，Ｇ，Ｒ，Ｅに対応する位置に分散して配置されるので、複数種類の画素Ｂ，Ｇ，Ｒ，Ｅの表示品位への影響が偏ることがなくなり、表示色のずれやばらつきを低減することができる。
【００８３】
また、本実施形態では、配列方向Ｙに沿ったスペーサ１２５の形成周期は、上記配列方向Ｘに沿った形成周期Ｎの２倍の１０画素周期（Ｍ×Ｎ＝１０）となっており、これによって、配列方向ＸとＹのいずれにもスペーサ１２５が分散した状態が得られている。特に、配列方向Ｙに沿ったスペーサ１２５の形成周期である１０画素周期内に含まれる１０の画素ラインのうち、ライン周期に対応する一つおきの画素ラインにそれぞれスペーサ１２５が形成され、一つの画素ラインを挟んで隣接する画素ライン間でスペーサ１２５の形成位置が配列方向Ｘにずれている。このずれ量は１画素分である。これによって、スペーサ１２５の配置の分散状態の均一性を高めることができ、しかも、その数密度を増大させることができる。ここで、１０の画素ライン間では、スペーサの形成位置が配列方向Ｘに５（Ｎ）画素周期より少ない所定距離だけずれた位置に配置されていることが好ましい。なお、図示例では、一つおきの画素ラインＬ１，Ｌ３，Ｌ５，・・・にそれぞれスペーサ１２５が形成されているが、配列方向Ｙに沿ったスペーサの形成周期に含まれる１０の画素ラインの少なくとも一つの画素ラインにスペーサが設けられていればよい。
【００８４】
なお、以上説明した各実施形態においては、スペーサ１２５の形成間隔の最小値が１画素であり、上記のＮ，Ｍが自然数であることを前提として説明をしている。しかし、本発明においては、スペーサ１２５の形成周期の最小値が１画素以下であっても構わないし、また、上記のＮ，Ｍが自然数以外の数であっても構わない。すなわち、本発明のスペーサの所定方向に見たときの形成周期は、色配列パターンの色配列周期と異なっていればよく、それ以外の制約は基本的には課せられない。ただし、スペーサの形成周期が１画素である場合、すなわち、所定方向に見たときに全ての画素に対応する位置にそれぞれ一つずつスペーサが配置されている場合は含まない。
【００８５】
また、本発明のスペーサの配列態様としては、上記各実施形態のように所定の形成周期毎に一つのスペーサが配列されている態様に限定されるものではなく、複数のスペーサを１組のスペーサパターンとした場合の当該スペーサパターンの形成周期が上記のように色配列パターンの配列周期と異なっていればよいのである。例えば、所定方向に見たときに所定の形成周期毎に二つ以上のスペーサからなるスペーサパターンが繰り返し配置されていてもよい。この場合、１つのスペーサパターン内に配置される二つ以上のスペーサ間の相互配置の態様は任意である。
【００８６】
[電気光学装置の製造方法]
図１９は、上記実施形態の電気光学装置（液晶表示装置１００）の製造方法を示す工程図である。電気光学装置を製造するにあたっては、図１９に示すＴＦＤ形成ステップＰ１１からシール材印刷ステップＰ１６までを含む素子基板形成工程と、電極形成ステップＰ２１からラビング処理ステップＰ２３までを含む対向基板形成工程とが別々に行われる。なお、比較的小型の液晶表示装置を形成する場合には、通常、複数の液晶表示装置に対応する部分を含む大版の母基板を用いて上記の素子基板形成工程及び対向基板形成工程をそれぞれ実施し、両母基板を貼り合わせた後に適宜分割して複数の液晶表示装置を構成する。ただし、以下の説明では、説明の便宜上、当初から単一の液晶表示装置に対応する素子基板と対向基板を使用したものと仮定して説明する。
【００８７】
まず、素子基板形成工程では、ＴＦＤ形成ステップＰ１１において成膜工程、フォトエッチング工程、陽極酸化工程など周知の方法で配線１２２、１２４ａ及びＴＦＤ素子１２３を形成する。その後、画素電極形成ステップＰ１２において、スパッタリング法などを用いてＩＴＯ（インジウムスズ酸化物）の薄膜を成膜し、パターニングを行うことによって画素電極１２４を形成する。
【００８８】
次に、スペーサ形成ステップＰ１３において、感光剤を含むアクリル樹脂などの感光性樹脂を塗布し、露光、現像を順次行うことにより、スペーサ１２５を形成する。その後、配向膜形成ステップＰ１４において配向膜１２７を形成し、ラビング処理ステップＰ１５において配向膜１２７に対してラビング処理を施した後、シール材印刷ステップＰ１６においてディスペンサーやスクリーン印刷等により、シール材１６２の一部に開口部を設けた態様で、駆動領域となる領域を取り巻くようにシール材１６２を配置する。
【００８９】
一方、対向基板形成工程では、まず、反射層形成ステップＳ２１において、樹脂層１４０Ａをフォトリソグラフィ法などを用いて形成する。樹脂層１４０Ａの微細な表面凹凸状態は、露光パターンによって形成する。樹脂層１４０Ａの表面状態が充分に滑らかな凹凸形状にならず、その上に形成する反射層に好適な光散乱特性を付与することができない場合には、２層以上の樹脂層を積層することによって表面形状を調整することが好ましい。このようにして形成した樹脂層１４０Ａの表面上に、蒸着法やスパッタリング法などを用いてアルミニウム、銀、クロムなどの金属等を材料として成膜を行い、必要に応じてパターニングを行うことにより、上記の反射層１４１を形成する。このとき、半透過反射型の液晶表示装置を構成する場合には、画素Ｐ毎に図示しない開口部を反射層１４１に形成すればよい。
【００９０】
次に、カラーフィルタ形成ステップＳ２２において、フォトリソグラフィ法などを用いてカラーフィルタ１４２を形成する。着色層１４２（Ｒ）、１４２（Ｇ）、１４２（Ｂ）は、アクリル樹脂などの透明樹脂基材中に染料や顔料などの着色材を分散させた着色材料をもちいて形成する。好ましくは感光剤を添加した着色材料を塗布し、露光、現像することによってそれぞれの着色層を形成する。この工程は、複数種類の着色層ごとに繰り返し行われる。
【００９１】
次に、電極形成ステップＰ２３において帯状の電極１４４及び配線１４４ａを形成する。この電極１４４及び配線１４４ａは、スパッタリング法でＩＴＯ（インジウムスズ酸化物）の薄膜を成膜し、これをエッチングなどによりパターニングすることにより形成される。次に、配向膜形成ステップＰ２４においてポリイミド樹脂の塗布及び焼成などによって配向膜１４７を形成する。次に、ラビング処理ステップＰ２５において配向膜１４７に対してラビング処理を施す。
【００９２】
次に、基板貼合ステップＰ３１において素子基板１２０と対向基板１４０とを位置合せした状態でシール材１６２を介して貼り合せ、シール材硬化ステップＰ３２において素子基板１２０と対向基板１４０とを圧着した状態で、シール材１６２の硬化特性に応じて光照射処理や加熱処理などを施すことによりシール材１６２を硬化させる。次に、液晶注入ステップＰ３３においてシール材１６２の開口部から素子基板１２０、対向基板１４０及びシール材１６２に囲まれる空間内に液晶１６７を注入し、その後、液晶封止ステップＰ３４においてシール材１６２の開口部に封止材を塗布し、硬化させることにより液晶を封入する。最後に、実装ステップＰ３５において、素子基板１２０に半導体チップ１７２、１７４、１７６や可撓性基板などを異方性導電材により実装する。これにより、電気光学装置（液晶表示装置１００）が完成する。
【００９３】
なお、上記実施形態では、フォトリソグラフィ技術を用いてスペーサを形成しているが、本発明のスペーサの形成方法は上記の方法に限定されるものではない。例えば、スペーサを一つ一つ基板上の既定の位置に配置していく方法でも、上記各実施形態のようなスペーサ配列を実現できる。より具体的なスペーサの形成方法としては、スペーサを所定の溶媒中に均一に分散させたスペーサ分散溶液をインクジェット方式によって基板上に吐出するといった方法が挙げられる。この方法では、スペーサ分散溶液の液滴を基板上の既定位置に正確に着弾させることができ、当該液滴から溶媒を揮発させることによって基板上の上記既定位置にスペーサが配置されることになる。このとき、基板上の所定位置に凹部を設け、この凹部に上記液滴を着弾させることで、スペーサの位置精度を高めることができる。また、スペーサの表面に熱可塑性樹脂をコーティングしておくことにより、基板上でスペーサを加熱して熱可塑性樹脂を溶融させる工程を設けることで、スペーサを基板上に固定することができる。
【００９４】
[電子機器]
最後に、図２０及び図２１を参照して、上記実施形態の電気光学装置（液晶表示装置１００）を用いた電子機器の構成について説明する。
【００９５】
図２０は本実施形態の表示系の構成を示す概略構成図である。ここに示す電子機器は、上記と同様の液晶表示装置１００と、この液晶表示装置１００を制御するための制御手段４００とを有する。液晶表示装置１００には駆動回路１００Ｄが設けられている。この駆動回路１００Ｄは、例えば上記の基板張出部１２０ａに実装された半導体チップ１７２，１７４，１７６で構成される。ただし、駆動回路１００Ｄは、基板張出部１２０ａに実装されたフレキシブル基板などの配線基板上に実装されていてもよく、また、液晶表示装置１００とは別に設けられていてもよい。駆動回路１００Ｄは、走査線駆動回路、データ線駆動回路及び検査回路を含む。
【００９６】
制御手段４００は、駆動回路１００Ｄに制御信号や電力を供給するものであり、表示情報出力源４０１と、表示処理回路４０２と、電源回路４０３と、タイミングジェネレータ４０４とを有する。
【００９７】
表示情報出力源４０１は、ＲＯＭ（Read Only Memory）やＲＡＭ（Random Access Memory）等からなるメモリと、磁気記録ディスクや光記録ディスク等からなるストレージユニットと、デジタル画像信号を同調出力する同調回路とを備え、タイミングジェネレータ４０４によって生成された各種のクロック信号に基づいて、所定フォーマットの画像信号等の形で表示情報を表示情報処理回路４０２に供給するように構成されている。
【００９８】
表示処理回路４０２は、シリアル−パラレル変換回路、増幅・反復回路、ローテーション回路、ガンマ補正回路、クランプ回路等の周知の各種回路を備え、入力した表示情報の処理を実行して、その画像情報をクロック信号ＣＬＫとともに上記駆動回路１００Ｄへ供給する。また、電源回路４０３は、上述の各構成要素にそれぞれ所定の電圧を供給する。
【００９９】
図２１は、本発明に係る電子機器の一実施形態である携帯電話１０００を示す。この携帯電話１０００は、ケース体１０１０の内部に回路基板１００１が配置され、この回路基板１００１に対して上述の液晶表示装置１００が実装されている。ケース体１０１０の前面には操作ボタン１０２０が配列され、また、一端部からアンテナ１０３０が出没自在に取り付けられている。受話器１０４０の内部にはスピーカが配置され、送話部１０５０の内部にはマイクが内蔵されている。ケース体１０１０内に設置された液晶表示装置１００は、前面に構成された表示窓１０６０を通して表示面を視認することができるように構成されている。
【０１００】
尚、本発明の電気光学装置は、上述の図示例にのみ限定されるものではなく、本発明の要旨を逸脱しない範囲内において種々変更を加え得ることは勿論である。例えば、上記各実施形態ではシール材として導電異方性シール材を用いているが、通常の絶縁性のシール材を用いた液晶表示装置であっても構わない。
【０１０１】
また、上記実施形態において能動素子としてＴＦＤ素子を用いているが、ＴＦＤ素子の代わりにＴＦＴ（Thin Film Transistor：薄膜トランジスタ）などの他の能動素子を用いることもできる。
【０１０２】
さらに、上記実施形態はアクティブマトリクス型であるが、パッシブマトリックス型の液晶表示装置とすることもできる。
【０１０３】
また、上記実施形態では液晶表示装置を構成する例について説明しているが、エレクトロルミネッセンス装置、有機エレクトロルミネッセンス装置、プラズマディスプレイ装置、電気泳動ディスプレイ装置、電子放出素子を用いた装置（Field Emission Display 及び Surface-Conduction Electron-Emitter Display 等）などの各種の電気光学装置においても本発明を同様に適用することが可能である。
【図面の簡単な説明】
【０１０４】
【図１】本発明に係る第１実施形態の電気光学装置の実施形態を構成する液晶表示装置の概略構造を示す概略平面図。
【図２】第１実施形態における図１に示す領域II内の電極構造を模式的に示す概略拡大平面図。
【図３】第１実施形態における図１に示す領域II内のカラーフィルタ構造を模式的に示す拡大平面図。
【図４】第１実施形態に用いられるＴＦＤ素子の構造を拡大して示す拡大斜視図。
【図５】第１実施形態における図１に示すＶ−Ｖ線に沿って切断した断面の一部を模式的に示す概略拡大断面図。
【図６】第１実施形態の色配列パターン及びスペーサの形成位置を模式的に示す概略平面図。
【図７】第２実施形態の色配列パターン及びスペーサの形成位置を模式的に示す概略平面図。
【図８】第３実施形態の色配列パターン及びスペーサの形成位置を模式的に示す概略平面図。
【図９】第４実施形態の色配列パターン及びスペーサの形成位置を模式的に示す概略平面図。
【図１０】第５実施形態の色配列パターン及びスペーサの形成位置を模式的に示す概略平面図。
【図１１】第６実施形態の色配列パターン及びスペーサの形成位置を模式的に示す概略平面図。
【図１２】第７実施形態の色配列パターン及びスペーサの形成位置を模式的に示す概略平面図。
【図１３】第８実施形態の色配列パターン及びスペーサの形成位置を模式的に示す概略平面図。
【図１４】第９実施形態の色配列パターン及びスペーサの形成位置を模式的に示す概略平面図。
【図１５】第１０実施形態の色配列パターン及びスペーサの形成位置を模式的に示す概略平面図。
【図１６】第１１実施形態の色配列パターン及びスペーサの形成位置を模式的に示す概略平面図。
【図１７】第１２実施形態の色配列パターン及びスペーサの形成位置を模式的に示す概略平面図。
【図１８】第１３実施形態の色配列パターン及びスペーサの形成位置を模式的に示す概略平面図。
【図１９】電気光学装置の製造方法の一実施形態を示す工程図である。
【図２０】液晶表示装置を備えた電子機器の表示系の概略構成を示す概略構成図である。
【図２１】電子機器の一例である携帯電話の外観を示す概略斜視図である。
【符号の説明】
【０１０５】
１００…液晶表示装置、１２０…素子基板、１２０ａ…基板張出部、１２２、１２４ａ、１４４ａ…配線、１２３…ＴＦＤ素子、１２４…画素電極、１２５…スペーサ、１２７、１４７…配向膜、１３１、１３３…偏光板、１３２、１３４…１／４波長板、１４０…対向基板、１４１…反射層、１４２…カラーフィルタ、１４２（Ｒ），１４２（Ｇ），１４２（Ｂ）…着色層、１４３…保護層、１４４…電極、１６２…シール材、１６３…導電性粒子、１７２、１７４、１７６…半導体チップ、Ｐ，Ｒ，Ｇ，Ｂ，Ｅ…画素、Ｋ…遮光領域
【図１】
2005258176.tif 000003
【図２】
2005258176.tif 000004
【図３】
2005258176.tif 000005
【図４】
2005258176.tif 000006
【図５】
2005258176.tif 000007
【図６】
2005258176.tif 000008
【図７】
2005258176.tif 000009
【図８】
2005258176.tif 000010
【図９】
2005258176.tif 000011
【図１０】
2005258176.tif 000012
【図１１】
2005258176.tif 000013
【図１２】
2005258176.tif 000014
【図１３】
2005258176.tif 000015
【図１４】
2005258176.tif 000016
【図１５】
2005258176.tif 000017
【図１６】
2005258176.tif 000018
【図１７】
2005258176.tif 000019
【図１８】
2005258176.tif 000020
【図１９】
2005258176.tif 000021
【図２０】
2005258176.tif 000022
【図２１】
2005258176.tif 000023